(57)【要約】【課題】外部装置と近距離無線接続によって連携して動作する携帯端末装置において、外部装置との連携状況に応じて適切な動作を自動選択すること。【解決手段】携帯端末１０は、携帯電話キャリアが提供するネットワークを介してセンタサーバ２０と接続しており、さらに車両Ｃ１に搭載された車載装置と近距離無線接続可能である。そして携帯端末１０は、車載装置と接続中でない場合には、自端末の情報である携帯電話プロファイルのみをサーバに送信するが、車載装置と接続中である場合には、車載装置から取得した車両プロファイルと携帯電話プロファイルを共にセンタサーバ２０に送信し、送信したプロファイルに適合したデータを受け取る。【選択図】        図１
2008193337.tif 000002
【特許請求の範囲】
【請求項１】
他の装置と通信を行なう第一通信手段と、所定の通信先に対して情報送信し、当該送信した情報に適合するデータを受信する第二通信手段とを備えた携帯端末装置上で動作する通信プログラムであって、該携帯端末装置に
前記第一通信手段が接続中であるか否かを検知する通信検知ステップと、
前記通信検知ステップによる検知結果に基づいて、前記第一通信手段が接続中でない場合には自装置に関する情報に基づいて、前記第一通信手段が接続中である場合には該第一通信手段の接続相手に関する情報と自装置に関する情報とに基づいて、情報を作成し、該作成した情報を前記第二通信手段により、送信する送信情報作成ステップと、
を実行させることを特徴とする通信プログラム。
【請求項２】
前記送信情報作成ステップは、前記第一通信手段が接続中である場合に該第一通信手段の接続相手に関する情報を取得し、当該取得した情報に基づいて前記第一通信手段の接続相手に関する情報を前記第二通信手段により送信する情報とするか否かを判定することを特徴とする請求項１に記載の通信プログラム。
【請求項３】
前記第二通信手段によって取得したデータを出力する際に、前記第一通信手段の接続相手である装置を出力手段として使用する出力処理ステップをさらに含んだことを特徴とする請求項１または２に記載の通信プログラム。
【請求項４】
他の装置と通信を行なう第一通信手段と、
前記第一通信手段が接続中であるか否かを検知する通信検知手段と、
所定の通信先に対して情報送信し、当該送信した情報に適合するデータを受信する第二通信手段と、
前記通信検知手段による検知結果に基づいて、前記第一通信手段が接続中でない場合には自装置に関する情報に基づいて、前記第一通信手段が接続中である場合には該第一通信手段の接続相手に関する情報と自装置に関する情報とに基づいて、情報を作成し、該作成した情報を前記第二通信手段が送信する送信情報作成手段と
を備えたことを特徴とする携帯端末装置。
【請求項５】
前記送信情報作成手段は、前記第一通信手段が接続中である場合に該第一通信手段の接続相手に関する情報を取得し、当該取得した情報に基づいて前記第一通信手段の接続相手に関する情報を前記第二通信手段により送信する情報とするか否かを判定することを特徴とする請求項４に記載の携帯端末装置。
【請求項６】
前記第二通信手段によって取得したデータを出力する際に、前記第一通信手段の接続相手である装置を出力手段として使用する出力処理手段をさらに備えたことを特徴とする請求項４または５に記載の携帯端末装置。
【発明の詳細な説明】
【技術分野】
【０００１】
この発明は、複数の通信手段を備えた携帯端末装置およびその通信プログラムに関し、特に、通信によって外部装置と連携して動作可能な携帯端末装置およびその通信プログラムに関する。
【背景技術】
【０００２】
従来、携帯端末装置、特に無線で電話回線に接続可能な携帯電話端末が広く利用されてきた。また、近年携帯電話端末の性能が向上し、データ通信や音楽再生、汎用アプリケーションの実行機能など、様々な機能が追加されている。
【０００３】
このように追加された機能の一つに、Bluetoothなどを利用した近距離無線やＵＳＢケーブルを介した通信機能がある。この通信機能を利用することで、携帯端末装置を他の装置と連携させて動作させることが可能となる。
【０００４】
例えば特許文献１では、携帯電話を車載端末に接続し、連携して動作させることで、車載端末を通話回線網に接続可能とする技術を開示している。
【０００５】
【特許文献１】特開２００４−１０２３３２号公報
【発明の開示】
【発明が解決しようとする課題】
【０００６】
上述した従来技術では、車載装置は携帯電話を通信手段として利用することでセンタサーバと接続可能となり、センタサーバから車載装置のユーザの嗜好などに適合した操作用メニューを受信する。
【０００７】
このように、従来の技術では、携帯端末を他の装置と連携させる場合はその通信機能のみを提供し、主要な処理は連携先の他の装置で実行されることが一般的であった。
【０００８】
しかしながら、携帯端末装置の処理能力の向上に従い、携帯端末装置に主要な処理を実行させ、連携先の装置を表示出力や音声出力など副次的に使用する構成が検討されている。
【０００９】
携帯端末装置は利用者の周囲に常に在ることが期待できるので、携帯端末装置がメインとして機能することにより、ユーザ周辺の状況の変化に適応して適切なサービスを選択して実行可能となる。また、携帯端末装置をメインとすることで、連携先の装置のコスト削減や、性能の陳腐化の抑制を図ることが出来る。
【００１０】
そこで、他の装置との連携状態に基づいて適切な動作を自動選択する携帯端末装置および通信プログラムの実現が、重要な課題となっていた。
【００１１】
本発明は、上述した課題を解決するためになされたものであり、外部装置と連携して動作する携帯端末装置において、外部装置との連携状況に応じて適切な動作を自動選択する携帯端末装置およびその通信プログラムを提供することを目的とする。
【課題を解決するための手段】
【００１２】
上述した課題を解決し、目的を達成するため、本発明にかかる携帯端末装置および通信プログラムでは、第二通信手段を使用して所定の通信先に対して情報送信する場合に、他の装置と通信を行なう第一通信手段が接続中であるか否かを検知し、第一通信手段が接続中でない場合には自装置に関する情報から作成した情報を送信し、第一通信手段が接続中である場合には第一通信手段の通信相手に関する情報と自装置に関する情報から作成した情報を送信し、送信した情報に適合したデータを所定の通信先から受信する。
【００１３】
また、第一通信手段が接続中である場合に該第一通信手段の通信相手に関する情報を取得し、当該取得した情報に基づいて第一通信手段の通信相手に関する情報を送信する情報とするか否かを判定するように構成してもよい。
【００１４】
また、送信した情報に適合したデータを受信した後、そのデータを出力する際に、第一通信手段の接続相手を出力手段として使用するように構成しても良い。
【発明の効果】
【００１５】
本発明によれば携帯端末装置および通信プログラムは、第１の通信機能によって連携する他装置との接続状態に応じて異なる情報を第２の通信機能によって送信し、送信した情報に適合したデータを所定の通信先から受信するので、外部装置との連携状況に応じて適切な動作を自動選択する携帯端末装置およびその通信プログラムを得ることができることができるという効果を奏する。
【００１６】
また、通信で取得した通信先の相手装置に関する情報に基づいて、第２の通信機能によるデータの要求を行なうか否かを選択することで、必要な場合にのみ第二通信先との通信接続を行なう携帯端末装置およびその通信プログラムを得ることができることができるという効果を奏する。
【００１７】
また、送信した情報に適合したデータを受信した後、そのデータを出力する際に、第一通信手段の通信相手を出力手段として使用するように構成すれば、外部装置の画面やスピーカを利用した出力を行なう携帯端末装置およびその通信プログラムを得ることができることができるという効果を奏する。
【発明を実施するための最良の形態】
【００１８】
以下に添付図面を参照して、この発明に係る通信プログラムおよび携帯端末装置の好適な実施の形態を詳細に説明する。
【実施例】
【００１９】
１．発明の概要
まず、図１を参照し、本発明の概要について説明する。本発明において、携帯端末１０は、携帯電話キャリアが提供する携帯電話回線網を介してサーバ２０と接続している。携帯電話１０は、このサーバ１０に対して自端末の識別情報や位置情報などのプロファイルを送信し、送信したプロファイルに適合したデータをサーバ２０から受信する。
【００２０】
また、携帯端末１０は、BluetoothやＵＳＢケーブルなどを利用した通信機能を有し、車両に搭載された車載装置などの外部装置と接続可能である。そして携帯端末１０は、外部装置と接続中でない場合には、自端末の情報である携帯電話プロファイルのみをサーバに送信するが、外部装置と接続中である場合には、外部装置から取得した外部装置の情報と自端末の情報とを共にサーバ２０に送信する。
【００２１】
同図では、携帯端末１０が車両Ｃ１と接続中である場合には、携帯端末１０は車両Ｃ１の情報、もしくは車両Ｃ１に搭載された車載装置の情報である車両プロファイルを取得し、自端末の情報である携帯電話プロファイルと共にサーバ２０に送信する。
【００２２】
このように、携帯端末１０が近距離無線による外部装置との接続状態に基づいて異なる情報をサーバ２０に送信し、送信した情報に適合したデータをサーバ２０から受信することで、外部装置との連携状況に応じて適切な動作を自動選択する点に本発明の主たる特徴がある。
【００２３】
２．本発明の構成例
つづいて、図２を参照し、本発明の主要な機能構成について説明する。本発明における機能要素は、その一部をソフトウェア的に実現可能であるが、同図に示した構成では、その機能をハードウェア、ソフトウェアのいずれで実現するかは適宜選択可能である。
【００２４】
同図に示す様に携帯端末１０は、携帯電話キャリアが提供するネットワークＮ１を介してセンタサーバ２０に接続し、近距離無線通信によって車載装置４０と接続している。なお、本実施例では、携帯端末１０と車載装置４０とは近距離無線通信によって接続する例を述べるが、本願はこの形態に限るものではなく、ネットワークＮ１に対する通信と同時に実行できる他の通信機能であれば、近距離無線通信に限るものではない。
【００２５】
センタサーバ２０は、その内部にプロファイル判断部２１と提供データ作成部２２とを有する。プロファイル判断部２１は、ネットワークＮ１を介してプロファイルを受信し、その内容を判断する。そして、提供データ作成部２２は、そのプロファイルに適合したデータを提供データとして作成し、ネットワークＮ１を介して携帯端末１０に送信する。
【００２６】
車載装置４０は、車両に搭載される装置であり、その内部に主制御部４１、近距離無線通信部４２、プロファイル記憶部４３、ディスプレイ４４およびスピーカ４５を有する。
【００２７】
主制御部４１は、車載装置４０を全体制御する制御部であり、近距離無線通信部４２は、携帯端末２と無線通信する通信処理部である。プロファイル記憶部４３は、車載装置４０や車両に関する情報を車両プロファイルとして記憶する記憶手段であり、ディスプレイ４４およびスピーカ４５はそれぞれ表示出力および音声出力を行なう出力手段である。
【００２８】
車載装置４０は、近距離無線通信によって、プロファイル記憶部４３に記憶した車両プロファイルを携帯端末１０に送信することが出来る。また、同じく近距離無線通信によって受信した表示データや音声データをディスプレイ４４やスピーカ４５から出力することで、携帯端末１０の外部出力手段として機能することも出来る。
【００２９】
携帯端末１０は、その内部に主制御部１１、近距離無線通信部１２、プロファイル記憶部１３、回線接続部１６、ディスプレイ１４およびスピーカ１５を有する。
【００３０】
近距離無線通信部１２は、車載装置４０と無線通信する第一通信手段である。これに対し、回線接続部１６は、ネットワークＮ１に接続する第二通信手段である。またプロファイル記憶部１３は、自端末に関する情報を携帯電話プロファイルとして記憶する記憶手段であり、ディスプレイ１４およびスピーカ１５はそれぞれ表示出力および音声出力を行なう出力手段である。
【００３１】
主制御部１１は、携帯端末１０を全体制御する制御部であり、その内部に無線通信検知部１１ａ、依頼メッセージ作成部１１ｂおよび出力処理部１１ｃを有する。
【００３２】
無線通信検知部１１ａは、近距離無線通信部１２が車載装置４０と通信中であるか否かを検知する通信検知手段である。依頼メッセージ作成部１１ｂは携帯端末１０がセンタサーバ２０に対して送信するプロファイルを選択し、依頼メッセージを作成する処理を行なう。
【００３３】
ここで、依頼メッセージ作成部１１ｂは、近距離無線通信部１２の検知結果を基に、車載装置４０と接続中でない場合には、プロファイル１３が記憶する携帯電話プロファイルのみを用いてセンタサーバ２０に送信する依頼メッセージを作成する。一方、車載装置４０と接続中である場合には、依頼メッセージ作成部１１ｂは、プロファイル記憶部１３が記憶する携帯電話プロファイルと、車載装置４０から受信した車両プロファイルとを共に用いてセンタサーバ２０に送信する依頼メッセージを作成する。
【００３４】
センタサーバ２０は、受信した依頼メッセージのプロファイルに適合した提供データを作成して携帯端末１０に送信するので、携帯端末１０は、この提供データを受信して処理することで、車載装置４０と通信中であるか否かによって異なる処理を実行することとなる。
【００３５】
出力処理部１１ｃは、携帯端末１０からの出力を制御する処理部である。携帯端末１０が車載装置４０と接続でない場合には、出力処理部１１ｃは、ディスプレイ１４およびスピーカ１５を用いて出力を行なう。また車載装置４０と接続中である場合には、出力処理部１１ｃは、車載装置４０のディスプレイ４４およびスピーカ４５を用いて出力を行なうこともできる。さらに、出力内容が車載装置４０からの出力のみを想定している場合には、車載装置４０からの出力が出来ない場合に出力内容を破棄するようにしてもよい。
【００３６】
つづいて、図３および図４を参照し、携帯端末１０の処理動作について説明する。図３は、携帯端末１０がセンタサーバ２０との通信を開始する際の処理内容を説明するフローチャートであり、携帯端末１０のメイン処理として、もしくはその一部として繰り返し実行することが好適である。
【００３７】
まず、携帯端末１０は、無線通信検知部１１ａの出力から車載装置４０と接続中であるか否かを確認し（ステップＳ１０１）、接続中である場合（ステップＳ１０１，Ｙｅｓ）には自動的にセンタ接続処理（ステップＳ１０３）を実行する。
【００３８】
また、車載装置４０と接続中でない（ステップＳ１０２，Ｎｏ）場合であっても、ユーザからセンタ接続を要求する操作を受け付けた場合（ステップＳ１０２，Ｙｅｓ）にはセンタ接続処理（ステップＳ１０３）を実行する。
【００３９】
図４は、このセンタ接続処理の具体例を説明するフローチャートである。同図に示す様に、携帯端末１０は、まず車載装置４０と接続中であるか否かを判定し（ステップＳ２０１）、車載装置４０と接続中である場合には近距離無線通信を介して車両プロファイルを取得する（ステップＳ２０２）。
【００４０】
また、車両プロファイルの取得（ステップＳ２０２）の後、もしくは車載装置と接続中でない場合（ステップＳ２０１，Ｎｏ）に、携帯端末のプロファイルである携帯電話プロァイルを取得する（ステップＳ２０３）。
【００４１】
そして、取得したプロファイルを用いて依頼メッセージを作成し、センタサーバ２０に送信する（ステップＳ２０４）。
【００４２】
その結果、センタサーバからデータが送られてきたならば（ステップＳ２０５，Ｙｅｓ）、受信したデータを用いた処理を実行し（ステップＳ２０６）、処理を終了する。
【００４３】
続いて、本発明の具体的な適用例について説明する。図５は、車載装置４０のディスプレイ上にナビゲーションや位置情報など車両用サービスのメニューを表示する場合の処理例である。
【００４４】
車両の中では車載装置を使ってナビゲーションや位置情報、アドレス帳、メールなど様々なサービスを使うことができる。ここで、１人で複数のクルマを所有している場合、それらの車載装置４０に表示されるメニューの形式が異なり、両方の使い方を覚えるのは面倒である。また、レンタカーを借りた場合も、普段自分が乗っている車両の車載メニューとは異なっていて使いづらい可能性がある。
【００４５】
さらに、１人で複数の車両を利用する場合とは逆に、１台のクルマを複数の人が運転する場合や、複数の目的で乗る場合もある。例えば、1台のクルマを業務で乗ったり、個人の移動手段として乗ったりする場合、車載装置のメニューには業務で使うメニューと個人で使うメニューを両方表示する必要があり、またアドレス帳に内容についても業務で訪ねる顧客の情報と、個人的な知り合いの情報を混在して格納することになり、切り分けて使うことが難しくなる。
【００４６】
そこで、図５に示したように、車内に持ち込んだ携帯電話と車載器をBluetoothなどの近距離無線通信で接続し、携帯電話とセンタサーバをキャリア網の通信手段で接続して、次の手順で車載装置用のメニューを表示する。
(1)  車載装置のプロファイルを携帯電話に送信。
なお、車両プロファイルとしては、車種を特定する車種情報や車載装置のディスプレイの大きさを示す画面サイズ情報など、車両や車載装置に関する任意の情報を設定することができる。
(2)  ユーザの情報も含む携帯電話のプロファイル及び車載装置のプロファイルをセンタサーバに送信。
なお、ユーザプロファイルとしては、例えば携帯端末の種類を示す機種情報やユーザを識別するためのユーザＩＤなど携帯端末やユーザに関する任意の情報を設定することが出来る。
(3)  センタサーバはメニュー取り出しのアクセス情報(URL)を送信
(4)  携帯電話はURLにアクセスしてメニュー画面取り出し
(5)  携帯電話でメニュー画面作成(レンダリング)
(6)  メニュー画面を携帯電話から車載装置に送信
(7)  車載装置でメニュー画面を表示
【００４７】
このような処理によって、車載装置および携帯電話のプロファイルに基づいた車載メニューを表示することができるようになる。
【００４８】
また、センタサーバにてある携帯電話に対する車載メニューの画面配置を編集する機能を提供することにより、そのユーザに合った車載メニューが表示できる他、別の車に乗った場合も同じ車載メニューが表示できるようになる。
【００４９】
そのため、車載装置が自分で車載メニューを表示する方法に比べ、１人で複数のクルマに乗る場合にどのクルマでもその人が使い慣れた車載メニューを表示することができるようになる。また、１台のクルマを複数の人が運転する場合や、業務用・個人用と複数の目的で乗る場合にも、車内に持ち込む携帯電話を業務用または個人用と使い分けることにより、その場に合った車載メニューを表示することができるようになる。
【００５０】
なお、図５の（３）〜（５）の処理は、この通りに行われなくてもよく、例えば、（３）でセンタサーバからメニュー画面データを携帯電話へ送信し、（４）と（５）の処理を飛ばして（６）で受信したメニュー画面を携帯電話から車載装置へ送信しても構わない。
【００５１】
図６は、センタサーバからアプリケーションを取得する場合における処理例である。携帯電話ではメールやナビゲーション、業務支援システムといった様々なアプリケーションを利用することが出来る。しかしながら運転中に携帯電話を操作するのは危険なため車内でこれらのアプリケーションをそのまま使うことはできない。
【００５２】
ここで、ハンズフリーでの入出力などに対応したアプリケーションがネットワークで提供されていれば、それをダウンロードして車内で利用することができるが、それをネットワークから探してダウンロードして起動しなければならず面倒である。また、この他通常の携帯電話のアプリケーションも使える状態にあるので危険である。
【００５３】
例えば、携帯電話に音楽をダウンロードしてから自分の車に乗った場合、その音楽を車載オーディオで聴ければ便利だが、携帯電話の音楽を車載オーディオで再生するアプリケーションを探してダウンロードし、起動する必要がある。
【００５４】
業務に関するアプリケーションについても、訪問すべき顧客の住所を携帯電話で確認した後に車に乗った場合、自動的にその住所へのナビの経路設定が行われれば便利であるが、やはりユーザが操作をしなければならない。
【００５５】
このように、車外で使った携帯電話のソリューションを車の中で使うのに、従来は大きな手間がかかるという問題があった。
【００５６】
そこで、図６に示した処理では、車載装置４０と携帯端末１０を近距離無線通信で接続することで、車の種類やサイズといった静的な情報および車速などの動的な情報を車両プロファイルとして車載機から携帯電話に送信する。なお、送信する車両プロファイルとしては、この他にも業務用か、私用か、レンタカーか、また重量、シフト状態、ハンドル角、車両の動作状態に関する情報など、任意の情報を用いることができる。
【００５７】
また携帯端末１０とセンタサーバ２０をキャリア網で接続し、携帯端末１０で使っているアプリケーションの情報（業務用、私用の分類など）やアプリケーションの利用履歴、車内で使うか使わないかおよび優先度などの携帯電話のプロファイルを、車両プロファイルと合わせてセンタサーバ２０に送信する。また、運転免許情報など携帯端末の所有者に関する情報についても携帯電話プロファイルとして取り扱うことが可能である。
【００５８】
センタサーバ２０は、車両および携帯電話のプロファイルから、業務用の車に乗っているのか個人用の車に乗っているのかといったことや、今提供すべき車内ソリューションは何かといったユーザの状況を判断し、それに合った車内用アプリケーションを携帯端末１０に送信する。
【００５９】
携帯端末１０は車内アプリケーションを受信し自動的に起動する。ここで携帯端末１０の入出力インタフェースを車載装置４０のものと共有し、車載装置４０で携帯電話アプリケーションが表示できるようにする。また、これに加えて、同時に車外で使う通常の携帯電話アプリケーションを利用不可能な状態にすることが望ましい。
【００６０】
このように処理を行なうことで、車両プロファイルおよび携帯電話プロファイルから自動的に車内ソリューションが提供され、携帯電話のアプリケーションが車内でスムーズに使えるようになる。また、従来は通常の携帯電話アプリケーションが車内でも使える状態になっていて危険だったが、本システムでは車内では通常の携帯電話アプリケーションの利用が規制され安全である。
【００６１】
図７は、携帯端末での車両用ナビゲーションを行なう際の情報収集における処理例である。近年、携帯電話にＧＰＳを実装し、この位置情報を利用するナビゲーションシステムが開発されている。しかし、位置情報にＧＰＳ測位を利用しているため、見通しの悪いビル影やトンネル内では利用が困難であった。
【００６２】
車載装置として実装されている車載ナビは車から車速を検知する信号（車速センサー）を受信しＧＰＳ測位が困難な場所においても車速センサ情報とＭａｐマッチング技術を使って自律測位を実現させ、位置標定を補完している。
【００６３】
そこで、携帯電話に車速情報を入力すれば車載装置におけるナビと同精度の自律測位ができるはずである。
【００６４】
しかし、携帯電話では、該携帯電話を保持した利用者がどの様な車両に乗るのかわからない為、その車両における車速センサー出力のパルス幅と移動量及び、車両の初期位置などがわからない。そのため、実際の正しい情報を出力するには、ＧＰＳ測位による移動量とパルス幅による移動量の計測及び、ＧＰＳ測位による初期位置把握が必要となり、それには多くの時間が必要であった。
【００６５】
ところで、基本的に車両は停止した場所と起動する場所は同じ場所である。（停止時に車両を移動させなければ、起動時は最終停車時と同じ位置である。）従って、車両に搭載されるカ−ナビゲーションシステムなどは、電源投入時は最終切断時の位置をそのまま表示する事ができる。
【００６６】
しかし、携帯電話に実装されたナビゲーションシステムの場合、車両を特定する事は困難である。そこで、携帯電話で測位した最終車両停車位置を、携帯電話もしくはセンタサーバで記憶する事によって、次回携帯電話接続時に多くの時間をかけずに初期位置を把握する事が可能となる。
【００６７】
また、その際、車両特有の情報、例えば、車速パルス単位あたりの移動距離なども合わせて記憶する事でさらに短時間に車両に合わせた位置補正が可能となる。
【００６８】
具体的には、携帯端末１０がナビゲーションを行なった場合、その最終位置と車両（車載装置４０）を識別するＩＤ、また車速パルス間隔などの情報を対応付けて記憶しておくとともに、センタサーバ２０に登録する。そして、車載装置４０には最後に接続した携帯端末を識別するＩＤを最終リンク携帯ＩＤとして記憶させておく。
【００６９】
その後、再び携帯端末１０が車載装置４０と近距離無線接続した際に、車載装置４０から最終リンク携帯ＩＤを取得し、そのＩＤが自端末のＩＤとを比較する。このＩＤが一致すれば、その車載装置４０が搭載された車両は、前回携帯端末１０が記憶した位置から移動していないと考えることが出来る。
【００７０】
また、最終リンク携帯ＩＤと自端末のＩＤが一致しない場合には、他の携帯端末と接続して前回記憶した位置から移動した（もしくは自端末が過去に接続したことの無い車両である）可能性があるので、センタサーバ２０から車両位置や車速パルス間隔を取得する。
【００７１】
この場合の携帯端末１０の処理は図７に示すように、まず、車載装置４０から車両プロファイルを取得する。そして、この車両プロファイルに含まれている最終リンクＩＤを読み出し、最終リンクＩＤと自端末のＩＤとを比較する。
【００７２】
その結果、最終リンクＩＤと自端末のＩＤとが一致する場合には自端末内に記憶した最終位置と車速パルスを読み出してナビゲーションサービスに使用するが、最終リンクＩＤが自端末のＩＤと異なることを確認した場合には、携帯端末１０からセンタサーバ２０に対して（少なくとも車両を特定する情報を含む）車両プロファイルと携帯電話プロファイルとをセンタサーバ２０に送信する。
【００７３】
センタサーバ２０は、受信した情報をキーに車両の最終位置情報など検索し、携帯端末１０に送信する。
【００７４】
携帯端末１０は、取得した最終位置情報を現在位置としてナビゲーションサービスを開始する。ここで、携帯端末１０は、現在位置の特定や走行予定経路の探索、地図画面出力および案内音声出力の作成は自端末で行なうが、地図画面出力および案内音声出力の出力内容は車載装置４０に近距離無線通信で送信し、車載装置４０のディスプレイおよびスピーカを用いて出力する。
【００７５】
このような処理により、その車両との接続実績がない場合や、自端末との接続後に他の携帯端末と接続して走行した車両に対しても、ナビゲーション処理を行なう際の初期位置を速やかに設定するとともに、車速パルスなどの車両毎の差異に適合させることができる。
【００７６】
なお、車両は携帯端末と接続することなく走行してその停車位置が変化することがあるので、走行開始時点で携帯端末と接続していなければ、最終リンク携帯ＩＤをクリアするように設定しても良い。
【００７７】
以上説明してきたように、本実施例にかかる携帯端末１０は、車載装置４０などの外部装置と接続可能であり、その接続状態に基づいて異なる情報をサーバ２０に送信し、送信した情報に適合したデータをサーバ２０から受信することで、外部装置との連携状況に応じて適切な動作を自動選択する。
【００７８】
そのため、接続先装置と自端末とに適合した操作メニューやアプリケーションを自動取得し、またナビゲーションなどのサービスを高速化するために必要な情報を適宜取得することができる。
【００７９】
なお、本実施例に示した構成および動作はなくまでも一例であり、本発明はこれに限定されることなく適宜変形して実施することができる。
【００８０】
例えば、本実施例では携帯端末が車載装置と近距離無線接続する場合を例に説明を行なったが、電車などの任意の移動体に搭載された外部装置であってもよいし、ディスプレイなどを有する公共使用可能な端末を外部装置として使用してもよい。
【００８１】
また、本実施例では、携帯端末として車両運転者が所有する携帯電話端末を使用する場合を想定し、車載装置のディスプレイおよびスピーカを携帯端末の出力デバイスとして使用する処理動作について説明したが、例えば車載装置を外部装置として使用する場合であっても、車両の後部座席乗員が所有する携帯電話端末での動作に本発明を適用するならば、携帯電話端末自体のディスプレイおよびスピーカを使用することが好適である。
【産業上の利用可能性】
【００８２】
以上のように、本発明にかかる通信プログラムおよび携帯端末装置は、外部装置と連携した携帯端末装置による各種サービスの提供に有用であり、特に外部装置との連携状況に応じた適切な動作の自動選択に適している。
【図面の簡単な説明】
【００８３】
【図１】本発明の概要について説明する説明図である。
【図２】本発明にかかる携帯端末および車載装置の概要構成を説明する概要構成図である。
【図３】携帯端末がセンタサーバとの通信を開始する際の処理内容を説明するフローチャートである。
【図４】センタ接続処理の具体例を説明するフローチャートである。
【図５】車両用サービスのメニューを表示する場合の処理例を示す図である。
【図６】センタサーバからアプリケーションを取得する場合における処理例を示す図である。
【図７】携帯端末で車両用ナビゲーションを行なう際の情報収集における処理例を示す図である。
【符号の説明】
【００８４】
１０    携帯端末
１１    近距離無線通信部
１１ａ  無線通信検知部
１１ｂ  依頼メッセージ策西部
１１ｃ  出力処理部
１２    近距離無線通信部
１３    プロファイル記憶部
１４    ディスプレイ
１５    スピーカ
２０    センタサーバ
２１    プロファイル判断部
２２    提供データ作成部
４０    車載装置
４１    主制御部
４２    近距離無線通信部
４３    プロファイル記憶部
４４    ディスプレイ
４５    スピーカ
【図１】
2008193337.tif 000003
【図２】
2008193337.tif 000004
【図３】
2008193337.tif 000005
【図４】
2008193337.tif 000006
【図５】
2008193337.tif 000007
【図６】
2008193337.tif 000008
【図７】
2008193337.tif 000009